(57)【要約】【課題】剛毛束で形成したブラシの先端部に曲がり癖が付かないようにすることと、ブラシ案内管路内のブラシを容易に洗浄できるようにすることである。【解決手段】ブラシ案内管路４の屈曲部４ａの先端側に、ブラシ６のストロークとほぼ等しい長さの直線部４ｂを設けることにより、屈曲部４ａで生じるブラシ６の先端部の曲がりを直線部４ｂで矯正し、ブラシ６の先端部に曲がり癖が付かないようにするとともに、ブラシ案内管路４の途中に洗浄孔９を設けて、ブラシ案内管路４内のブラシ６を容易に洗浄できるようにした。【選択図】図１
2006110231.tif 000002
【特許請求の範囲】
【請求項１】
屈曲部を有するブラシ案内管路に沿わせて、剛毛束で形成したブラシを所定のストロークで往復運動させ、このブラシの先端部を前記ブラシ案内管路の先端に設けた開口から出入りさせる電動歯ブラシにおいて、前記ブラシ案内管路の屈曲部の先端側に直線部を設けたことを特徴とする電動歯ブラシ。
【請求項２】
屈曲部を有するブラシ案内管路に沿わせて、剛毛束で形成したブラシを所定のストロークで往復運動させ、このブラシの先端部を前記ブラシ案内管路の先端に設けた開口から出入りさせる電動歯ブラシにおいて、前記ブラシ案内管路の屈曲部の先端側に、この屈曲部と逆方向に反らせた逆反り部を設けたことを特徴とする電動歯ブラシ。
【請求項３】
前記ブラシ案内管路の直線部または逆反り部を、前記ブラシのストローク以上の長さとした請求項１または２に記載の電動歯ブラシ。
【請求項４】
前記ブラシ案内管路の途中に、管路内の前記ブラシを洗浄するための洗浄孔を設けた請求項１乃至３のいずれかに記載の電動歯ブラシ。
【発明の詳細な説明】
【技術分野】
【０００１】
本発明は、剛毛束で形成されたブラシを所定のストロークで往復運動させて、その先端部を口腔に向けた開口から出入りさせる電動歯ブラシに関する。
【背景技術】
【０００２】
電動歯ブラシには種々の形態のものがあるが、剛毛束で形成したブラシを、屈曲部を有するブラシ案内管路に沿わせて所定のストロークで往復運動させ、このブラシの先端部をブラシ案内管路の先端に設けた開口から出入りさせて、この口腔に向けられる開口から出入りするブラシで歯磨きをするとともに、歯茎のマッサージもできるようにした電動歯ブラシがある（特許文献１参照）。
【０００３】
【特許文献１】特開平９−３２２８２３号公報
【発明の開示】
【発明が解決しようとする課題】
【０００４】
上述した屈曲部を有するブラシ案内管路に沿わせてブラシを所定のストロークで往復運動させる電動歯ブラシは、繰返し使用すると、ブラシ案内管路の屈曲部の影響によって、剛毛束で形成したブラシの先端部に曲がり癖が付き、歯磨き効果やマッサージ効果が低下する問題がある。
【０００５】
また、この電動歯ブラシは、唾液等が毛細管現象によって剛毛束で形成したブラシの根元部側へ浸入するが、ブラシ案内管路内にあるブラシの根元部側を洗浄し難い問題もある。
【０００６】
そこで、本発明の課題は、剛毛束で形成したブラシの先端部に曲がり癖が付かないようにすることと、ブラシ案内管路内のブラシを容易に洗浄できるようにすることである。
【課題を解決するための手段】
【０００７】
上記の課題を解決するために、本発明は、屈曲部を有するブラシ案内管路に沿わせて、剛毛束で形成したブラシを所定のストロークで往復運動させ、このブラシの先端部を前記ブラシ案内管路の先端に設けた開口から出入りさせる電動歯ブラシにおいて、前記ブラシ案内管路の屈曲部の先端側に直線部を設けた構成を採用した。
【０００８】
また、本発明は、同様の電動歯ブラシにおいて、前記ブラシ案内管路の屈曲部の先端側に、この屈曲部と逆方向に反らせた逆反り部を設けた構成も採用した。
【０００９】
すなわち、ブラシ案内管路の屈曲部の先端側に直線部または、屈曲部と逆方向に反らせた逆反り部を設けることにより、屈曲部で生じるブラシ先端部の曲がりを、その先の直線部または逆反り部で矯正し、ブラシの先端部に曲がり癖が付かないようにした。
【００１０】
前記ブラシ案内管路の直線部または逆反り部を、前記ブラシのストローク以上の長さとすることにより、十分な曲がりの矯正効果を得ることができる。
【００１１】
前記ブラシ案内管路の途中に、管路内の前記ブラシを洗浄するための洗浄孔を設けることにより、この洗浄孔から水道水等を注入し、ブラシ案内管路内のブラシの根元部側を容易に洗浄することができる。
【発明の効果】
【００１２】
本発明の電動歯ブラシは、ブラシ案内管路の屈曲部の先端側に直線部または、屈曲部と逆方向に反らせた逆反り部を設けることにより、屈曲部で生じるブラシ先端部の曲がりを、その先の直線部または逆反り部で矯正し、ブラシの先端部に曲がり癖が付かないようにしたので、歯磨き効果やマッサージ効果を長期に渡って維持することができる。
【００１３】
前記ブラシ案内管路の直線部または逆反り部を、ブラシのストローク以上の長さとすることにより、十分な曲がりの矯正効果を得ることができる。
【００１４】
前記ブラシ案内管路の途中に、管路内のブラシを洗浄するための洗浄孔を設けることにより、この洗浄孔から水道水等を注入し、ブラシ案内管路内のブラシの根元部側を容易に洗浄することができる。
【発明を実施するための最良の形態】
【００１５】
以下、図面に基づき、この発明の実施形態を説明する。この電動歯ブラシは、図１に示すように、往復運動源としてのモータ１とその出力軸のクランクシャフト２を配設したケーシング３に、ブラシ案内管路４を設けた筒先部材５を取り付け、剛毛束で形成したブラシ６を植設した基体７を、クランクシャフト２に取り付けたアーム部材８に連結して、ブラシ６をブラシ案内管路４に沿わせて所定のストロークで往復運動させ、その先端部を口腔に向けられるブラシ案内管路４の先端開口から出入りさせるものである。
【００１６】
図２に示すように、前記筒先部材５のブラシ案内管路４は屈曲部４ａを有し、その先端側に直線部４ｂが設けられている。この直線部４ｂの長さは、ブラシ６のストロークとほぼ等しい長さとされている。また、ブラシ案内管路４の途中には、管路内のブラシ６を洗浄する水道水等を注入するための２つの長円状の洗浄孔９が設けられている。
【００１７】
図３は、前記筒先部材５のブラシ案内管路４の変形例を示す。この変形例のブラシ案内管路４は、実施形態のものと同様の屈曲部４ａの先端側に、屈曲部４ａと逆方向に反らせた逆反り部４ｃが設けられている。この逆反り部４ｃの長さも、ブラシ６のストロークとほぼ等しい長さとされている。その他の部分は実施形態のものと同じである。
【００１８】
上述した実施形態と変形例では、ブラシ案内管路の途中に２つの長円状の洗浄孔を設けたが、これらの洗浄孔の個数と形状は任意に設計することができる。
【００１９】
また、上述した実施形態では、ブラシ案内管路を設けた筒先部材をケーシングと別体のものとしたが、筒先部はケーシングと一体に形成してもよく、これらのケーシングと筒先部の形状は、実施形態のものに限定されることはない。
【図面の簡単な説明】
【００２０】
【図１】電動歯ブラシの実施形態を示す一部省略縦断面図
【図２】図１の筒先部材を示す縦断面図
【図３】図２の筒先部材の変形例を示す縦断面図
【符号の説明】
【００２１】
１  モータ
２  クランクシャフト
３  ケーシング
４  ブラシ案内管路
４ａ  屈曲部
４ｂ  直線部
４ｃ  逆反り部
５  筒先部材
６  ブラシ
７  基体
８  アーム部材
９  洗浄孔
【図１】
2006110231.tif 000003
【図２】
2006110231.tif 000004
【図３】
2006110231.tif 000005